【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
色材を有する有色インクと透明インクとを吐出するための記録ヘッドを用いて画像を記録するために、画像データに基づいて前記有色インクと前記透明インクとの記録媒体への吐出量を決定する決定手段、を備え、
前記決定手段は、指定された領域への前記透明インクの吐出量が前記指定された領域外への前記透明インクの吐出量と異なるように前記透明インクの吐出量を決定することを特徴とする画像処理装置。
【請求項２】
前記決定手段は、前記指定された領域外への前記透明インクの吐出量を変更せずに、前記指定された領域への前記透明インクの吐出量を変更することにより、前記透明インクの吐出量を決定することを特徴とする請求項１に記載の画像処理装置。
【請求項３】
前記決定手段は、前記画像データに基づき前記有色インクと前記透明インクとの前記記録媒体への吐出量を決定し、前記指定された領域外に吐出される前記透明インクの吐出量を決定された前記吐出量から変更せずに、前記指定された領域に吐出される前記透明インクの吐出量を決定された前記吐出量から低減させることにより、前記透明インクの吐出量を決定することを特徴とする請求項１又は２に記載の画像処理装置。
【請求項４】
前記決定手段は、前記指定された領域に前記透明インクが吐出されないように前記透明インクの吐出量を決定することを特徴とする請求項１乃至３のいずれか１項に記載の画像処理装置。
【請求項５】
前記決定手段は、前記透明インクの吐出量を複数通りの量に変更することが可能であることを特徴とする請求項２又は３に記載の画像処理装置。
【請求項６】
ユーザーにより入力される前記透明インクの吐出量を前記複数通りの量のいずれの量に変更するかを示す変更量情報を受け付ける変更量情報受付手段、をさらに備え、
前記決定手段は、前記変更量情報受付手段が受け付けた前記変更量情報が示す量に応じて前記透明インクの吐出量を変更することを特徴とする請求項５に記載の画像処理装置。
【請求項７】
前記決定手段は、前記有色インクを吐出しない領域に前記透明インクを吐出するように前記透明インクの吐出量を決定することを特徴とする請求項１乃至６のいずれか１項に記載の画像処理装置。
【請求項８】
前記決定手段は、前記記録ヘッドが記録可能な全域に、前記透明インクを吐出するように前記吐出量を決定し、前記指定された領域外に吐出される前記透明インクの吐出量を当該決定された前記吐出量から変更せず、前記指定された領域に吐出される前記透明インクの吐出量を当該決定された前記吐出量から低減させることにより、前記透明インクの吐出量を決定することを特徴とする請求項１乃至７のいずれか１項に記載の画像処理装置。
【請求項９】
前記透明インクは、前記記録媒体上に付与された有色インクを覆うように吐出されることを特徴とする請求項１乃至８のいずれか１項に記載の画像処理装置。
【請求項１０】
前記有色インクおよび前記透明インクは、前記記録媒体と前記記録ヘッドとの相対的な走査を行いながら吐出され、
前記記録媒体の単位領域に複数回の走査によって記録が行われる場合に、前記透明インクは、前記第１のインクが吐出される走査より後で行われる走査において、前記単位領域に吐出される、ことを特徴とする請求項１乃至９のいずれか１項に記載の画像処理装置。
【請求項１１】
前記記録ヘッドと、
前記記録ヘッドを前記記録媒体に対して相対的に走査する走査手段と、
をさらに備えることを特徴とする請求項１０に記載の画像処理装置。
【請求項１２】
ユーザーにより前記領域を指定するための領域情報の入力を受け付ける領域情報受付手段、をさらに備え、
前記決定手段は、前記領域情報受付手段が受け付けた前記領域情報によって前記指定された領域への前記透明インクの吐出量を決定することを特徴とする請求項１乃至１１のいずれか１項に記載の画像処理装置。
【請求項１３】
ユーザーにより、指定される前記領域の画像の光沢度の設定に関する光沢度情報を受けつける光沢度情報受付手段、をさらに有し、
前記決定手段は、前記光沢度情報受付手段が受け付けた光沢度情報に応じて、前記指定された領域への前記透明インクの吐出量を決定することを特徴とする請求項１乃至１２のいずれか１項に記載の画像処理装置。
【請求項１４】
前記指定された領域の形状は、前記画像に装飾効果を与えるための模様の形状であることを特徴とする請求項１乃至１３のいずれか1項に記載の画像処理装置。
【請求項１５】
画像に装飾効果を与えるための装飾印刷の実行の指示を受け付ける装飾印刷受付手段、をさらに備え、
前記装飾印刷受付手段により前記装飾印刷の実行の指示を受け付けた場合に、前記決定手段は、前記指定された領域への前記透明インクの吐出量が前記指定された領域外への前記透明インクの吐出量と異なるように前記透明インクの吐出量を決定する、ことを特徴とする請求項１４に記載の画像処理装置。
【請求項１６】
色材を有する有色インクと透明インクとを吐出するための記録ヘッドを用いて画像を記録するために、画像データに基づいて前記有色インクと前記透明インクとの記録媒体への吐出量を決定する決定工程、を有し、
前記決定工程において、指定された領域への前記透明インクの吐出量が前記指定された領域外への前記透明インクの吐出量と異なるように前記透明インクの吐出量を決定することを特徴とする画像処理方法。
【請求項１７】
前記決定工程において、前記指定された領域外への前記透明インクの吐出量を変更せずに、前記指定された領域への前記透明インクの吐出量を変更することにより、前記透明インクの吐出量を決定することを特徴とする請求項１６に記載の画像処理方法。
【請求項１８】
前記決定工程において、前記画像データに基づき前記有色インクと前記透明インクとの前記記録媒体への吐出量を決定し、前記指定された領域外に吐出される前記透明インクの吐出量を決定された前記吐出量から変更せずに、前記指定された領域に吐出される前記透明インクの吐出量を決定された前記吐出量から低減させることにより、前記透明インクの吐出量を決定することを特徴とする請求項１６又は１７に記載の画像処理方法。
【請求項１９】
前記決定工程において、前記指定された領域に前記透明インクが吐出されないように前記透明インクの吐出量を決定することを特徴とする請求項１６乃至１８のいずれか１項に記載の画像処理方法。
【請求項２０】
前記決定工程は、前記透明インクの吐出量を複数通りの量のうち一つの量に変更することを特徴とする請求項１７に記載の画像処理方法。
【請求項２１】
前記透明インクの吐出量を複数通りの量のうちいずれの量に変更するかを設定するための設定情報を受け付ける設定情報受付工程、をさらに有することを特徴とする請求項２０に記載の画像処理方法。
【請求項２２】
前記決定工程は、前記有色インクを吐出しない領域に前記透明インクを吐出するように前記透明インクの吐出量を決定することを特徴とする請求項１６乃至１９のいずれか１項に記載の画像処理方法。
【請求項２３】
前記決定工程は、前記記録ヘッドが記録可能な全域に、前記透明インクを吐出するように前記吐出量を決定し、前記指定された領域外に吐出される前記透明インクの吐出量を当該決定された前記吐出量から変更せず、前記指定された領域に吐出される前記透明インクの吐出量を当該決定された前記吐出量から低減させることにより、前記透明インクの吐出量を決定することを特徴とする請求項１６乃至２２のいずれか１項に記載の画像処理方法。
【請求項２４】
前記透明インクは、前記記録媒体上に付与された有色インクを覆うように吐出されることを特徴とする請求項１６乃至２３のいずれか１項に記載の画像処理方法。
【請求項２５】
前記有色インクおよび前記透明インクは、前記記録媒体と前記記録ヘッドとの相対的な走査を行いながら吐出され、
前記記録媒体の単位領域に複数回の走査によって記録が行われる場合に、前記透明インクは、前記第１のインクが吐出される走査より後で行われる走査において、前記単位領域に吐出される、ことを特徴とする請求項１６乃至２４のいずれか１項に記載の画像処理方法。
【請求項２６】
前記領域を指定するための領域情報を受け付ける領域情報受付工程、をさらに有し、
前記決定工程において、前記領域情報受付工程において受け付けた前記領域情報によって前記指定された領域への前記透明インクの吐出量を決定することを特徴とする請求項１６乃至２５のいずれか１項に記載の画像処理方法。
【請求項２７】
ユーザーにより、指定される前記領域の画像の光沢度の設定に関する光沢度情報を受けつける光沢度情報受付工程、をさらに有し、
前記決定工程において、前記光沢度情報受付工程において受け付けた光沢度情報に応じて、前記指定された領域への前記透明インクの吐出量を決定することを特徴とする請求項１６乃至２６のいずれか１項に記載の画像処理方法。
【請求項２８】
前記指定された領域の形状は、前記画像に装飾効果を与えるための模様の形状であることを特徴とする請求項１６乃至２７のいずれか１項に記載の画像処理方法。
【請求項２９】
画像に装飾効果を与えるための装飾印刷の実行の指示を受け付ける指示受付工程、をさらに有し、
前記指示受付工程において前記装飾印刷の実行の指示を受け付けた場合に、前記決定工程は、前記指定された領域への前記透明インクの吐出量が前記指定された領域外への前記透明インクの吐出量と異なるように前記透明インクの吐出量を決定する、ことを特徴とする請求項２８に記載の画像処理方法。
【手続補正２】
【補正対象書類名】明細書
【補正対象項目名】発明の名称
【補正方法】変更
【補正の内容】
【発明の名称】画像処理装置および画像処理方法
【手続補正３】
【補正対象書類名】明細書
【補正対象項目名】０００１
【補正方法】変更
【補正の内容】
【０００１】
本発明は、色材を含むインクと色材を含まない透明インクとを用いて記録を行う画像処理装置および画像処理方法に関する。
【手続補正４】
【補正対象書類名】明細書
【補正対象項目名】０００８
【補正方法】変更
【補正の内容】
【０００８】
本発明の目的は、このような従来の問題点を解決することにある。本発明は、透明インクを用いる装飾印刷においてヘイズの低下を抑制しつつ、高光沢の画像記録を行うことのできる画像処理装置および画像処理方法を提供することを目的とする。
【手続補正５】
【補正対象書類名】明細書
【補正対象項目名】０００９
【補正方法】変更
【補正の内容】
【０００９】
そこで、上記の点に鑑み、本発明に係る画像処理装置は、色材を有する有色インクと透明インクとを吐出するための記録ヘッドを用いて画像を記録するために、画像データに基づいて前記有色インクと前記透明インクとの記録媒体への吐出量を決定する決定手段、を備え、前記決定手段は、指定された領域への前記透明インクの吐出量が前記指定された領域外への前記透明インクの吐出量と異なるように前記透明インクの吐出量を決定することを特徴とする。